(57)【特許請求の範囲】
【請求項１】
基材上に発光画像を有する発光媒体において、
前記発光画像は、
第１蛍光体を含む複数の第１絵柄要素と、
第２蛍光体を含む複数の第２絵柄要素と、を有し、
前記複数の第１絵柄要素と前記複数の第２絵柄要素は、複数のマイクロ文字を形成し、
前記複数のマイクロ文字は、マイクロ文字列を形成すると共に、前記第１絵柄要素は前記マイクロ文字列上の潜像を形成し、
第１波長領域内の不可視光を照射されたとき、前記第１蛍光体および前記第２蛍光体は、互いに同色として視認される色の光を発光し、
第２波長領域内の不可視光を照射されたとき、前記第１蛍光体および前記第２蛍光体は、互いに異色として視認される色の光を発光し、これにより前記マイクロ文字列上の前記潜像を発現させ、
第１波長領域内の不可視光を照射されたとき、前記第１蛍光体は、第１色の光を発光し、前記第２蛍光体は、第１色または第１色と同色として視認される色の光を発光し、
第２波長領域内の不可視光を照射されたとき、前記第１蛍光体は、第２色の光を発光し、前記第２蛍光体は、第３色の光を発光し、または、光を発光せず、前記第１蛍光体および前記第２蛍光体が、互いに異色として視認される色の光を発光し、これにより前記マイクロ文字列上の前記潜像を発現させる
ことを特徴とする発光媒体。
【請求項２】
基材上に発光画像を有する発光媒体において、
前記発光画像は、
第１蛍光体を含む複数の第１絵柄要素と、
第２蛍光体を含む複数の第２絵柄要素と、を有し、
前記複数の第１絵柄要素と前記複数の第２絵柄要素は、複数のマイクロ文字を形成し、
前記複数のマイクロ文字は、マイクロ文字列を形成すると共に、前記第１絵柄要素は前記マイクロ文字列上の潜像を形成し、
第１波長領域内の不可視光を照射されたとき、前記第１蛍光体および前記第２蛍光体は、互いに同色として視認される色の光を発光し、
第２波長領域内の不可視光を照射されたとき、前記第１蛍光体および前記第２蛍光体は、互いに異色として視認される色の光を発光し、これにより前記マイクロ文字列上の前記潜像を発現させ、
第１波長領域内の不可視光を照射されたとき、前記第１蛍光体は、第１色の光を発光し、前記第２蛍光体は、第１色または第１色と同色として視認される色の光を発光し、
第２波長領域内の不可視光を照射されたとき、前記第１蛍光体は、第１色または第１色と同色として視認される色の光を発光し、前記第２蛍光体は、第３色の光を発光し、または、光を発光せず、前記第１蛍光体および前記第２蛍光体が、互いに異色として視認される色の光を発光し、これにより前記マイクロ文字列上の前記潜像を発現させる
ことを特徴とする発光媒体。
【請求項３】
基材上に発光画像を有する発光媒体において、
前記発光画像は、
第１蛍光体を含む複数の第１絵柄要素と、
第２蛍光体を含む複数の第２絵柄要素と、を有し、
前記複数の第１絵柄要素と前記複数の第２絵柄要素は、複数のマイクロ文字を形成し、
前記複数のマイクロ文字は、マイクロ文字列を形成すると共に、前記第１絵柄要素は前記マイクロ文字列上の潜像を形成し、
第１波長領域内の不可視光が照射されたとき、または第２波長領域内の不可視光が照射されたときに、前記第１蛍光体および前記第２蛍光体は、互いに同色として視認される色の光を発光し、
第１波長領域内の不可視光と第２波長領域内の不可視光とが同時に照射されたとき、前記第１蛍光体および前記第２蛍光体は、互いに異色として視認される色の光を発光し、これにより前記マイクロ文字列上の前記潜像を発現させる
ことを特徴とする発光媒体。
【請求項４】
基材上に発光画像を有する発光媒体において、
前記発光画像は、
第１蛍光体を含む複数の第１絵柄要素と、
第２蛍光体を含む複数の第２絵柄要素と、を有し、
前記複数の第１絵柄要素と前記複数の第２絵柄要素は、複数のマイクロ文字を形成し、
前記複数のマイクロ文字は、マイクロ文字列を形成すると共に、前記第１絵柄要素は前記マイクロ文字列上の潜像を形成し、
第１波長領域内の不可視光が照射されたとき、前記第１蛍光体および前記第２蛍光体は、互いに異色として視認される色の光を発光し、これにより前記マイクロ文字列上の前記潜像を発現し、
第２波長領域内の不可視光が照射されたとき、前記第１蛍光体および前記第２蛍光体は、互いに異色として視認されるとともに、第１波長領域内の不可視光が照射されたときに視認される色とは異色の光を発光し、これにより前記マイクロ文字列上の前記潜像を発現し、
第１波長領域内の不可視光と第２波長領域内の不可視光とが同時に照射されたとき、前記第１蛍光体および前記第２蛍光体は、互いに同色として視認される色の光を発光する
ことを特徴とする発光媒体。
【請求項５】
前記マイクロ文字列における１つのマイクロ文字の大きさは、３００μｍ角以下であることを特徴とする請求項１乃至４のいずれかに記載の発光媒体。
【請求項６】
前記マイクロ文字列における隣り合うマイクロ文字の間隔は、１００μｍ以下である
ことを特徴とする請求項１乃至５のいずれかに記載の発光媒体。
【請求項７】
前記マイクロ文字列における１つのマイクロ文字は、前記第１絵柄要素及び前記第２絵柄要素を含んでいる
ことを特徴とする請求項１乃至６のいずれかに記載の発光媒体。
【発明の詳細な説明】
【技術分野】
【０００１】
本発明は、特定の波長領域内の不可視光が照射されたときに現れる発光画像を有する発光媒体に関する。
【背景技術】
【０００２】
金券やプリペイドカードを含む有価証券や、免許証を含む身分証明書など、偽造を防止することが必要とされる媒体において、セキュリティ性を高めるため、近年、マイクロ文字、コピー牽制パターン、赤外線吸収インキまたは蛍光インキなどが利用されている。このうち蛍光インキとは、可視光下ではほとんど視認されず、不可視光（紫外線または赤外線）が照射されたときに視認される蛍光体を含むインキである。このような蛍光インキを用いることにより、有価証券などに、特定の波長領域内の不可視光が照射されたときにのみ現れる蛍光画像（発光画像）を形成することができる。これによって、有価証券が汎用のカラープリンターなどにより容易に偽造されるのを防ぐことができる。
【０００３】
また、偽造防止効果をさらに高めるため、蛍光インキを用いて、肉眼によっては視認されない発光画像を有価証券に形成することが提案されている。例えば特許文献１において、第１蛍光インキと第２蛍光インキとを用いて形成された発光画像を有する媒体が開示されている。この場合、第１蛍光インキおよび第２蛍光インキは、肉眼で見たときは、可視光下および紫外線下で互いに同一の色として視認され、かつ、判別具を介して見たときは、互いに異なる色として視認されるインキとなっている。このため、有価証券に形成された発光画像が容易に偽造されることはなく、このことにより、蛍光インキによる偽造防止効果が高められている。しかし、発光画像における第１蛍光インキと第２蛍光インキとの間に微小な色差又は厚みの差が存在していると、肉眼で見たときに第１蛍光インキおよび第２蛍光インキが同一の色として視認されず、発光画像が視認される場合があった。
【先行技術文献】
【特許文献】
【０００４】
【特許文献１】特許第４４１８８８１号公報
【発明の概要】
【発明が解決しようとする課題】
【０００５】
有価証券が偽造されたものかどうかを判別するための手順は、簡易かつ迅速に実施されることが好ましい。また、有価証券は偽造が困難であることが好ましい。従って、判別具などの道具を用いることなく、肉眼によって、有価証券が偽造されたものかどうかを簡易かつ迅速に判別することができ、且つ、偽造され難い媒体が求められている。
【０００６】
本発明は、このような課題を効果的に解決し得る発光媒体を提供することを目的とする。
【課題を解決するための手段】
【０００７】
本発明は、基材上に発光画像を有する発光媒体において、前記発光画像は、第１蛍光体を含む複数の第１絵柄要素と、第２蛍光体を含む複数の第２絵柄要素と、を有し、前記複数の第１絵柄要素と前記複数の第２絵柄要素は、複数のマイクロ文字を形成し、前記複数のマイクロ文字は、マイクロ文字列を形成すると共に、前記第１絵柄要素は前記マイクロ文字列上の潜像を形成し、第１波長領域内の不可視光を照射されたとき、前記第１蛍光体および前記第２蛍光体は、互いに同色として視認される色の光を発光し、第２波長領域内の不可視光を照射されたとき、前記第１蛍光体および前記第２蛍光体は、互いに異色として視認される色の光を発光し、これにより前記マイクロ文字列上の前記潜像を発現させることを特徴とする発光媒体である。
【０００８】
本発明による発光媒体において、第１波長領域内の不可視光を照射されたとき、前記第１蛍光体は、第１色の光を発光し、前記第２蛍光体は、第１色または第１色と同色として視認される色の光を発光し、第２波長領域内の不可視光を照射されたとき、前記第１蛍光体は、第２色の光を発光し、前記第２蛍光体は、第３色の光を発光し、または、光を発光せず、前記第１蛍光体および前記第２蛍光体が、互いに異色として視認される色の光を発光し、これにより前記マイクロ文字列上の前記潜像を発現させてもよい。
【０００９】
本発明による発光媒体において、第１波長領域内の不可視光を照射されたとき、前記第１蛍光体は、第１色の光を発光し、前記第２蛍光体は、第１色または第１色と同色として視認される色の光を発光し、第２波長領域内の不可視光を照射されたとき、前記第１蛍光体は、第１色または第１色と同色として視認される色の光を発光し、前記第２蛍光体は、第３色の光を発光し、または、光を発光せず、前記第１蛍光体および前記第２蛍光体が、互いに異色として視認される色の光を発光し、これにより前記マイクロ文字列上の前記潜像を発現させてもよい。
【００１０】
本発明は、基材上に発光画像を有する発光媒体において、前記発光画像は、第１蛍光体を含む複数の第１絵柄要素と、第２蛍光体を含む複数の第２絵柄要素と、を有し、前記複数の第１絵柄要素と前記複数の第２絵柄要素は、複数のマイクロ文字を形成し、前記複数のマイクロ文字は、マイクロ文字列を形成すると共に、前記第１絵柄要素は前記マイクロ文字列上の潜像を形成し、第１波長領域内の不可視光が照射されたとき、または第２波長領域内の不可視光が照射されたときに、前記第１蛍光体および前記第２蛍光体は、互いに同色として視認される色の光を発光し、第１波長領域内の不可視光と第２波長領域内の不可視光とが同時に照射されたとき、前記第１蛍光体および前記第２蛍光体は、互いに異色として視認される色の光を発光し、これにより前記マイクロ文字列上の前記潜像を発現させることを特徴とする発光媒体である。
【００１１】
本発明は、基材上に発光画像を有する発光媒体において、前記発光画像は、第１蛍光体を含む複数の第１絵柄要素と、第２蛍光体を含む複数の第２絵柄要素と、を有し、前記複数の第１絵柄要素と前記複数の第２絵柄要素は、複数のマイクロ文字を形成し、前記複数のマイクロ文字は、マイクロ文字列を形成すると共に、前記第１絵柄要素は前記マイクロ文字列上の潜像を形成し、第１波長領域内の不可視光が照射されたとき、前記第１蛍光体および前記第２蛍光体は、互いに異色として視認される色の光を発光し、これにより前記マイクロ文字列上の前記潜像を発現し、第２波長領域内の不可視光が照射されたとき、前記第１蛍光体および前記第２蛍光体は、互いに異色として視認されるとともに、第１波長領域内の不可視光が照射されたときに視認される色とは異色の光を発光し、これにより前記マイクロ文字列上の前記潜像を発現し、第１波長領域内の不可視光と第２波長領域内の不可視光とが同時に照射されたとき、前記第１蛍光体および前記第２蛍光体は、互いに同色として視認される色の光を発光することを特徴とする発光媒体である。
【００１２】
本発明による発光媒体において、前記マイクロ文字列における１つのマイクロ文字の大きさは、３００μｍ角以下であってもよい。
【００１３】
本発明による発光媒体において、前記マイクロ文字列における隣り合うマイクロ文字の間隔は、１００μｍ以下であってもよい。
【００１４】
本発明による発光媒体において、前記マイクロ文字列における１つのマイクロ文字は、前記第１絵柄要素及び前記第２絵柄要素を含んでいてもよい。
【発明の効果】
【００１５】
本発明による発光媒体によれば、簡易かつ迅速に発光画像の確認を行うことができ、且つ、発光媒体を偽造され難くすることができる。
【図面の簡単な説明】
【００１６】
【図１】図１は、本発明の発光媒体からなる偽造防止媒体により構成される有価証券の一例を示す平面図。
【図２】図２は、本発明の第１の実施の形態において、偽造防止媒体の発光画像を示す平面図。
【図３】図３は、図２に示す発光画像のIII−III線に沿った断面図。
【図４Ａ】図４Ａは、本発明の第１の実施の形態における第１蛍光インキの蛍光発光スペクトルを示す図。
【図４Ｂ】図４Ｂは、本発明の第１の実施の形態における第２蛍光インキの蛍光発光スペクトルを示す図。
【図５】図５は、本発明の第１の実施の形態における第１蛍光インキおよび第２蛍光インキから発光される蛍光の色度を示すｘｙ色度図。
【図６Ａ】図６Ａは、本発明の第１の実施の形態において、ＵＶ−Ａが照射されたときの発光画像を示す平面図。
【図６Ｂ】図６Ｂは、本発明の第１の実施の形態において、ＵＶ−Ｃが照射されたときの発光画像を示す平面図。
【図７】図７は、比較例において、ＵＶ−Ａ照射時の発光画像を示す平面図。
【図８Ａ】図８Ａは、本発明の第１の実施の形態の変形例において、偽造防止媒体の発光画像を示す平面図。
【図８Ｂ】図８Ｂは、図８Ａに示す発光画像のVIII−VIII線に沿った断面図。
【図９Ａ】図９Ａは、本発明の第１の実施の形態の変形例において、ＵＶ−Ａが照射されたときの発光画像を示す平面図。
【図９Ｂ】図９Ｂは、本発明の第１の実施の形態の変形例において、ＵＶ−Ｃが照射されたときの発光画像を示す平面図。
【図１０】図１０は、本発明の第２の実施の形態における第２蛍光インキの蛍光発光スペクトルを示す図。
【図１１Ａ】図１１Ａは、本発明の第２の実施の形態において、ＵＶ−Ａが照射されたときの発光画像を示す平面図。
【図１１Ｂ】図１１Ｂは、本発明の第２の実施の形態において、ＵＶ−Ｃが照射されたときの発光画像を示す平面図。
【図１２Ａ】図１２Ａは、本発明の第３の実施の形態における第１蛍光インキの蛍光発光スペクトルを示す図。
【図１２Ｂ】図１２Ｂは、本発明の第３の実施の形態における第２蛍光インキの蛍光発光スペクトルを示す図。
【図１３】図１３は、本発明の第３の実施の形態における第１蛍光インキおよび第２蛍光インキから発光される蛍光の色を示すｘｙ色度図。
【図１４Ａ】図１４Ａは、本発明の第３の実施の形態において、ＵＶ−Ｃが照射されたときの発光画像を示す平面図。
【図１４Ｂ】図１４Ｂは、本発明の第３の実施の形態において、ＵＶ−Ａが照射されたときの発光画像を示す平面図。
【発明を実施するための形態】
【００１７】
以下、図１乃至図６Ｂを参照して、本発明の第１の実施の形態について説明する。はじめに図１乃至図３を参照して、本発明の発光媒体からなる偽造防止媒体１０全体について説明する。
【００１８】
偽造防止媒体
図１は、本実施の形態による偽造防止媒体１０により構成される商品券（有価証券）の一例を示す図である。図１に示すように、偽造防止媒体１０は、基材１１と、基材１１上に形成された発光画像１２と、を有している。本実施の形態においては、後述するように、発光画像１２が、偽造防止媒体１０の真偽を判別するための真偽判別用画像として機能する。
【００１９】
偽造防止媒体１０において用いられる基材１１の材料が特に限られることはなく、偽造防止媒体１０により構成する有価証券の種類に応じて適宜選択される。例えば、基材１１の材料として、優れた印刷適性および加工適性を有する白色のポリエチレンテレフタレートが用いられる。基材１１の厚みは、偽造防止媒体１０により構成される有価証券の種類に応じて適宜設定される。
【００２０】
発光画像１２の大きさが特に限られることはなく、真偽判別のし易さや、求められる判別精度などに応じて適宜設定される。例えば、発光画像１２の長さｌ１およびｌ２は、それぞれ１〜２１０ｍｍおよび１〜３００ｍｍの範囲内となっている。
【００２１】
発光画像
次に図２および図３を参照して、発光画像１２についてより詳細に説明する。図２は、可視光下での発光画像１２を拡大して示す平面図であり、図３は、図２に示す発光画像１２のIII−III線に沿った断面図である。
【００２２】
発光画像１２は、複数の第１絵柄要素２０と、複数の第２絵柄要素２５と、を有する。図２に示す例において、第１絵柄要素２０及び第２絵柄要素２５は、それぞれ「Ｄ」、「Ｎ」及び「Ｐ」というマイクロ文字を構成している。これらのマイクロ文字の組「ＤＮＰ」がｘ方向に１０組並んで、マイクロ文字列ｍを形成している。マイクロ文字列ｍは、ｙ方向に１２個並んでいる。第１絵柄要素２０はマイクロ文字列上の潜像を形成している。ここでは、潜像は「A」という文字である。
複数のマイクロ文字列ｍにおける１つのマイクロ文字の大きさは、３００μｍ角以下であることが好ましく、ここでは、例えば２００μｍ角である。複数のマイクロ文字列ｍにおけるｘ方向に隣り合うマイクロ文字の間隔ｄ１と、ｙ方向に隣り合うマイクロ文字の間隔ｄ２とは、それぞれ１００μｍ以下であることが好ましい。ここでは、例えば、間隔ｄ１は５０μｍであり、間隔ｄ２は１００μｍである。
ここで、人間の目の裸眼における分解能は、視力と対象物までの距離により異なるが、例えば視力１．５の人間が明視距離２５０ｍｍにおいて識別できる解像限界は、
250*tan(1/1.5/60)*2 = 0.1 (mm)
となる。
ここでいう解像限界とは、隣り合う２つの点を、２つの点として識別できる距離をいう。
文字の大きさを３００μｍ角以下とした場合、多くの文字において文字を構成する線の間隔は１００μｍ程度となり、通常肉眼では文字として識別することができない。
また、文字の間隔を１００μｍ以下とした場合、隣り合う文字を異なる文字として識別することができない。
各第１絵柄要素２０及び第２絵柄要素２５は、次のように、不可視光により励起されて蛍光を発する蛍光インキを印刷することにより形成されている。
【００２３】
次に図３を参照して、発光画像１２の構造について説明する。図３に示すように、発光画像１２の第１絵柄要素２０および第２絵柄要素２５は、基材１１上に第１蛍光インキ１３および第２蛍光インキ１４を印刷することにより形成されている。
【００２４】
第１蛍光インキ１３および第２蛍光インキ１４の厚みｔ１およびｔ２は、有価証券の種類や、印刷の方式などに応じて適宜設定されるが、例えば、厚みｔ１は０．３〜１００μｍの範囲内となっており、厚みｔ２は０．３〜１００μｍの範囲内となっている。なお、好ましくは、厚みｔ１と厚みｔ２はほぼ同一となっている。
【００２５】
第１蛍光インキ１３および第２蛍光インキ１４は各々、後述するように、可視光下では発光せず、特定の不可視光下で発光する所定の蛍光体、例えば粒状の顔料を含んでいる。ここで、インキ１３，１４に含まれる顔料の粒径は、例えば０．１〜１０μｍの範囲内となっており、好ましくは０．１〜３μｍの範囲内となっている。このため、インキ１３，１４に可視光が照射された場合、光が顔料粒子によって散乱される。従って、可視光下で発光画像１２を見た場合、図２に示すように、第１絵柄要素２０として白色第１絵柄要素２１ａが視認され、第２絵柄要素２５として白色第２絵柄要素２６ａが視認される。また上述のように、本実施の形態における基材１１は、白色のポリエチレンテレフタレートから形成されている。このため、可視光下において、基材１１と、発光画像１２の第１絵柄要素２０および第２絵柄要素２５とは全て白色のものとして視認される。従って、可視光下において発光画像１２の第１絵柄要素２０の潜像が現れることはない。このことにより、発光画像１２を有する偽造防止媒体１０が容易に偽造されるのが防がれている。
なお、図２において、各第１絵柄要素２０を示す線１５ａ、各第２絵柄要素２５を示す線１５ｂ、および、発光画像１２を示す線１５ｃは、便宜上描かれているものである。可視光下において、線１５ａ、線１５ｂまたは線１５ｃは実際には視認されない。
【００２６】
蛍光インキ
次に図４Ａ乃至図５を参照して、第１蛍光インキ１３および第２蛍光インキ１４についてより詳細に説明する。図４Ａは、第１蛍光インキ１３の蛍光発光スペクトルを示す図であり、図４Ｂは、第２蛍光インキ１４の蛍光発光スペクトルを示す図である。図５は、特定の波長領域内の光が照射された場合に第１蛍光インキ１３および第２蛍光インキ１４から発光される光の色度をＸＹＺ表色系で示すｘｙ色度図である。
【００２７】
（第１蛍光インキ）
はじめに第１蛍光インキ１３について説明する。図４Ａにおいて、一点鎖線は、３１５〜４００ｎｍの波長域領域内（第１波長領域内）の紫外線（不可視光）、いわゆるＵＶ−Ａを照射されたときの第１蛍光インキ１３の蛍光発光スペクトルを示しており、実線は、２００〜２８０ｎｍの波長域領域内（第２波長領域内）の紫外線（不可視光）、いわゆるＵＶ−Ｃを照射されたときの第１蛍光インキ１３の蛍光発光スペクトルを示している。なお図４Ａに示す各蛍光発光スペクトルは、最大のピークにおけるピーク強度が１となるよう規格化されている。
【００２８】
図４Ａに示すように、第１蛍光インキ１３は、ＵＶ−Ａを照射されたとき、ピーク波長λ１Ａが約４４５ｎｍである青色（第１色）の光を発し、ＵＶ−Ｃを照射されたとき、ピーク波長λ１Ｃが約６１０ｎｍである赤色（第２色）の光を発する。このように、第１蛍光インキ１３は、ＵＶ−Ａ照射時とＵＶ−Ｃ照射時で発光色が異なる、いわゆる二色性蛍光体（第１蛍光体）を含んでいる。このような二色性蛍光体は、例えば、ＵＶ−Ａにより励起される蛍光体と、ＵＶ−Ｃにより励起される蛍光体と、を適宜組み合わせることにより構成される（例えば、特開平１０−２５１５７０号公報参照）。
なおＵＶ−Ａ照射時には、図４Ａに示すように約６１０ｎｍの波長の光も発光される。しかしながら、約６１０ｎｍの波長の光は、ピーク波長λ１Ａが約４４５ｎｍである光に比べて強度が小さいため、ＵＶ−Ａ照射時、第１蛍光インキ１３からの光は青色光として視認される。同様に、ＵＶ−Ｃ照射時、図４Ａに示すように約４４５ｎｍの波長の光も発光されるが、その強度が小さいため、第１蛍光インキ１３からの光は赤色光として視認される。
【００２９】
（第２蛍光インキ）
次に第２蛍光インキ１４について説明する。図４Ｂにおいて、一点鎖線は、ＵＶ−Ａを照射されたときの第２蛍光インキ１４の蛍光発光スペクトルを示しており、実線は、ＵＶ−Ｃを照射されたときの第２蛍光インキ１４の蛍光発光スペクトルを示している。図４Ａの場合と同様に、図４Ｂに示す各蛍光発光スペクトルは、最大のピークにおけるピーク強度が１となるよう規格化されている。
【００３０】
図４Ｂに示すように、第２蛍光インキ１４は、ＵＶ−Ａを照射されたとき、ピーク波長λ２Ａが約４４５ｎｍである青色（第１色）の光、または青色（第１色）と同色として視認される光を発する。また第２蛍光インキ１４は、ＵＶ−Ｃを照射されたとき、ピーク波長λ２Ｃが約５２５ｎｍである緑色（第３色）の光を発する。このように第２蛍光インキ１４も、第１蛍光インキ１３と同様に、ＵＶ−Ａ照射時とＵＶ−Ｃ照射時で発光色が異なる、いわゆる二色性蛍光体（第２蛍光体）を含んでいる。
なおＵＶ−Ａ照射時には、図４Ｂに示すように約５２５ｎｍの波長の光も発光される。しかしながら、約５２５ｎｍの波長の光は、ピーク波長λ２Ａが約４４５ｎｍである光に比べて強度が小さいため、ＵＶ−Ａ照射時、第２蛍光インキ１４からの光は青色光として視認される。同様に、ＵＶ−Ｃ照射時、図４Ｂに示すように約４４５ｎｍの波長の光も発光されるが、その強度が小さいため、第２蛍光インキ１４からの光は緑色光として視認される。
【００３１】
次に図５を参照して、ＵＶ−ＡまたはＵＶ−Ｃ照射時に第１蛍光インキ１３または第２蛍光インキ１４から発せられる光の色についてより詳細に説明する。図５に示す符号において、白抜きの丸または四角は、ＵＶ−Ａ照射時に第１蛍光インキ１３または第２蛍光インキ１４から発せられる光の色度をそれぞれ示している。また、黒塗りの丸または四角は、ＵＶ−Ｃ照射時に第１蛍光インキ１３または第２蛍光インキ１４から発せられる光の色度をそれぞれ示している。
【００３２】
上述の青色（第１色）は、図５において白抜きの丸で示される色度に対応している。また、上述の赤色（第２色）は、図５において黒塗りの丸で示される色度に対応しており、上述の緑色（第３色）は、図５において黒塗りの四角で示される色度に対応している。
【００３３】
図５に示すように、ｘｙ色度図において、ＵＶ−Ａ照射時に第１蛍光インキ１３から発せられる光の色度と、ＵＶ−Ａ照射時に第２蛍光インキ１４から発せられる光の色度とは近接している。このため上述のように、ＵＶ−Ａを照射されたときに第２蛍光インキ１４から発せられる光は、ＵＶ−Ａ照射時に第１蛍光インキ１３から発せられる光と同色の光として視認される。このため、第１蛍光インキ１３を用いて形成された第１絵柄要素２０と、第２蛍光インキ１４を用いて形成された第２絵柄要素２５とは、ＵＶ−Ａ照射時、同色のマイクロ文字として視認される。従って後述するように、ＵＶ−Ａ照射時には、発光画像１２の全てのマイクロ文字が単一色（青色）で視認され、このため、第１絵柄要素２０の潜像は現れない。
【００３４】
また図５に示すように、ｘｙ色度図において、ＵＶ−Ｃ照射時に第１蛍光インキ１３から発せられる光の色度と、ＵＶ−Ｃ照射時に第２蛍光インキ１４から発せられる光の色度は大きく離れている。このため、ＵＶ−Ｃを照射されたときに第２蛍光インキ１４から発せられる光は、ＵＶ−Ｃ照射時に第１蛍光インキ１３から発せられる光と異色の光として視認される。このため、第１蛍光インキ１３を用いて形成された第１絵柄要素２０と、第２蛍光インキ１４を用いて形成された第２絵柄要素２５とは、ＵＶ−Ｃ照射時、異色のマイクロ文字として視認される。従って後述するように、ＵＶ−Ｃ照射時には、第１絵柄要素２０の潜像が視認される。
【００３５】
なお本発明において、「同色」とは、肉眼では色の違いを判別できない程度に２つの色の色度が近接していることを意味している。より具体的には、「同色」とは、２つの色の色差ΔＥ＊ａｂが１０以下、好ましくは３以下であることを意味している。また「異色」とは、２つの色の色差ΔＥ＊ａｂが１０よりも大きいことを意味している。ここで色差ΔＥ＊ａｂとは、Ｌ＊ａ＊ｂ＊表色系におけるＬ＊、ａ＊およびｂ＊に基づいて算出される値であり、肉眼で観察された場合の色の相違に関する指標となる値である。なお、Ｌ＊ａ＊ｂ＊表色系におけるＬ＊、ａ＊およびｂ＊や、ＸＹＺ表色系における三刺激値Ｘ、ＹおよびＺは、光のスペクトルなどに基づいて算出される。またＬ＊、ａ＊およびｂ＊と三刺激値Ｘ、Ｙ、Ｚとの間には、周知の変換式に従う関係が成立している。
上記の三刺激値は、例えば分光光度計、色差計、測色計、色彩計、色度計等の計測器を用いることにより計測され得る。これらの計測器のうち分光光度計は、各波長の分光反射率を求めることができるので、三刺激値を精度良く計測することができ、このため色差の解析に適している。
色差ΔＥ＊ａｂを算出するには、例えば、はじめに、比較する複数の媒体（インキ）からの光を分光光度計にて計測し、その結果に基づいて、三刺激値Ｘ、Ｙ、Ｚ、またはＬ＊、ａ＊、ｂ＊を算出する。次に、複数の媒体（インキ）におけるＬ＊、ａ＊、ｂ＊の差（ΔＬ＊、Δａ＊、Δｂ＊）から、以下の式に基づいて色差を算出する。
【数１】
0005622087.tif 000002
【００３６】
次に、このような構成からなる本実施の形態の作用について説明する。ここでは、はじめに、偽造防止媒体１０を作製する方法について説明する。次に、偽造防止媒体１０からなる有価証券が正規のものであるかどうかを検査する方法について説明する。
【００３７】
偽造防止媒体の作製方法
はじめに基材１１を準備する。基材１１としては、例えば、厚み１８８μｍの白色のポリエチレンテレフタレートからなる基材が用いられる。次に、第１蛍光インキ１３および第２蛍光インキ１４を用いて、基材１１上に、第１絵柄要素２０および第２絵柄要素２５からなる発光画像を形成する。
【００３８】
この際、第１蛍光インキ１３および第２蛍光インキ１４としては、例えば、所定の蛍光特性を有する二色性蛍光体２５重量％に、マイクロシリカ８重量％、有機ベントナイト２重量％、アルキッド樹脂５０重量％およびアルキルベンゼン系溶剤１５重量％を加えてオフセットインキ化されたインキがそれぞれ用いられる。このうち第１蛍光インキ１３用の二色性蛍光体（第１蛍光体）としては、例えば、波長２５４ｎｍの紫外線により励起されて赤色光を発光し、波長３６５ｎｍの紫外線により励起されて青色光を発光する蛍光体ＤＥ−ＲＢ（根本特殊化学製）が用いられる。また第２蛍光インキ１４用の二色性蛍光体（第２蛍光体）としては、例えば、波長２５４ｎｍの紫外線により励起されて緑色光を発光し、波長３６５ｎｍの紫外線により励起されて青色光を発光する蛍光体ＤＥ−ＧＢ（根本特殊化学製）が用いられる。
なお、波長３６５ｎｍの紫外線照射時に第１蛍光インキ１３から発せられる青色光と第２蛍光インキ１４から発せられる青色光との間の色差ΔＥ＊ａｂが１０以下、好ましくは３以下となるよう、インキ１３，１４の二色性蛍光体がそれぞれ選択されている。一般に、色差ΔＥ＊ａｂが３程度で人間の目の識別能力（色を見分ける能力）の限界となる。従って、色差ΔＥ＊ａｂを３以下とすることにより、肉眼での色の判別がより一層困難となり、これによって、真偽判別用の発光画像１２のパターンが容易に解明されるのを防ぐことができる。
【００３９】
なお、第１蛍光インキ１３および第２蛍光インキ１４における各構成要素の組成が上述の組成に限られることはなく、偽造防止媒体１０に求められる特性に応じて最適な組成が設定される。
【００４０】
確認方法
次に、図２、図６Ａおよび図６Ｂを参照して、偽造防止媒体１０からなる有価証券が正規のものであるかどうかを検査（確認）する方法について説明する。
【００４１】
（可視光照射時）
はじめに、可視光下での偽造防止媒体１０を観察する。この場合、上述のように、基材１１、発光画像１２の第１絵柄要素２０および第２絵柄要素２５はそれぞれ白色のものとして視認される（図２参照）。このため、可視光下においては、発光画像１２の第１絵柄要素２０の潜像は現れない。
【００４２】
（ＵＶ−Ａ照射時）
次に、ＵＶ−Ａ照射時の偽造防止媒体１０を観察する。照射されるＵＶ−Ａとしては、例えば、波長３６５ｎｍの紫外線が用いられる。
【００４３】
図６Ａは、ＵＶ−Ａ照射時の偽造防止媒体１０の発光画像１２を示す平面図である。第１絵柄要素２０を形成する第１蛍光インキ１３は蛍光体ＤＥ−ＲＢを含んでおり、このため、第１蛍光インキ１３は青色光を発光する。従って、第１絵柄要素２０が青色部分２１ｂとして視認される。一方、第２絵柄要素２５を形成する第２蛍光インキ１４は蛍光体ＤＥ−ＧＢを含んでおり、このため、第２蛍光インキ１４は青色光を発光する。従って、第２絵柄要素２５も青色部分２６ｂとして視認される。このように、ＵＶ−Ａ照射時において、第１絵柄要素２０および第２絵柄要素２５は、同色のマイクロ文字として視認される。従って、ＵＶ−Ａ照射時において、発光画像１２の第１絵柄要素２０の潜像はマイクロ文字列ｍ上で埋没していて現れない。
【００４４】
（ＵＶ−Ｃ照射時）
次に、ＵＶ−Ｃ照射時の偽造防止媒体１０を観察する。照射されるＵＶ−Ｃとしては、例えば、波長２５４ｎｍの紫外線が用いられる。
【００４５】
図６Ｂは、ＵＶ−Ｃ照射時の偽造防止媒体１０の発光画像１２を示す平面図である。第１絵柄要素２０を形成する第１蛍光インキ１３は蛍光体ＤＥ−ＲＢを含んでおり、このため、第１蛍光インキ１３は赤色光を発光する。従って、第１絵柄要素２０が赤色部分２１ｃとして視認される。一方、第２絵柄要素２５を形成する第２蛍光インキ１４は蛍光体ＤＥ−ＧＢを含んでおり、このため、第２蛍光インキ１４は緑色光を発光する。従って、第２絵柄要素２５は緑色部分２６ｃとして視認される。このように、ＵＶ−Ｃ照射時において、第１絵柄要素２０および第２絵柄要素２５は、異なった色のマイクロ文字として視認される。従って、ＵＶ−Ｃ照射時において、発光画像１２の第１絵柄要素２０からなる、マイクロ文字列ｍ上の潜像が発現して視認される。前述のように、ここでは、「A」という文字の潜像が視認される。
【００４６】
可視光、ＵＶ−ＡまたはＵＶ−Ｃが照射された場合に第１絵柄要素２０および第２絵柄要素２５の色が上述のように変化するのを検査することにより、偽造防止媒体１０からなる有価証券が正規のものであることが確認される。
【００４７】
このように本実施の形態によれば、偽造防止媒体１０は、基材１１と、第１蛍光体を含む第１蛍光インキ１３を用いて基材１１上に形成された複数の第１絵柄要素２０と、第２蛍光体を含む第２蛍光インキ１４を用いて基材１１上に形成された複数の第２絵柄要素２５と、を備えている。複数の第１絵柄要素２０と複数の第２絵柄要素２５は、複数のマイクロ文字「Ｄ」、「Ｎ」及び「Ｐ」を形成している。複数のマイクロ文字は、複数のマイクロ文字列ｍを形成すると共に、第１絵柄要素２０はマイクロ文字列ｍ上の潜像を形成している。第１蛍光インキ１３の第１蛍光体は、ＵＶ−Ａを照射されたとき、青色（第１色）の光を発光し、ＵＶ−Ｃを照射されたとき、赤色（第２色）の光を発光する蛍光体ＤＥ−ＲＢからなっている。一方、第２蛍光インキ１４の第２蛍光体は、ＵＶ−Ａを照射されたとき、青色（第１色）または青色（第１色）と同色として視認される色の光を発光し、ＵＶ−Ｃを照射されたとき、緑色（第３色）の光を発光する蛍光体ＤＥ−ＧＢからなっている。このため、第１絵柄要素２０と第２絵柄要素２５とは、ＵＶ−Ａを照射されたときには判別されず、ＵＶ−Ｃを照射されてはじめて判別される。すなわち、第１絵柄要素２０の潜像は、ＵＶ−Ａを照射されたときにはマイクロ文字列ｍ上で埋没していて視認されず、ＵＶ−Ｃを照射されてはじめてマイクロ文字列ｍ上に発現して視認される。
このように、二色性蛍光体を含むインキを用いて第１絵柄要素２０および第２絵柄要素２５を形成することにより、単色性蛍光体を含むインキが用いられる場合に比べて、偽造防止媒体１０の偽造を困難にすることができる。また、肉眼によって、発光画像１２が正規のものかどうかを簡易かつ迅速に判別することが可能となる。
また、第１蛍光インキ１３の第１蛍光体および第２蛍光インキ１４の第２蛍光体を、ＵＶ−Ａを照射されたとき同色または同色として視認される色を発光するよう選択することにより、発光画像１２の潜像が容易に解明されるのを防ぐことができる。このことにより、偽造防止媒体１０の偽造をより困難にすることができる。
また、ＵＶ−Ａに比べて光源を準備するのが困難なＵＶ−Ｃが照射されてはじめて第１絵柄要素２０の潜像が現れるよう、第１蛍光インキ１３および第２蛍光インキ１４の第１蛍光体および第２蛍光体を選択することにより、第１絵柄要素２０の潜像が解明されるのをより強固に防ぐことができる。このことにより、偽造防止媒体１０の偽造をさらに困難にすることができる。
さらに、第１絵柄要素２０と第２絵柄要素２５が複数のマイクロ文字列ｍを形成するようにしたので、第１絵柄要素２０と第２絵柄要素２５の面積は、発光画像１２の領域の面積に比して狭い。また、第１絵柄要素２０及び第２絵柄要素２５は、複雑な形状を有している。従って、第１絵柄要素２０と第２絵柄要素２５との間に微小な色差又は厚みの差が存在していても、ＵＶ−Ａを照射されたときに、第１絵柄要素２０の潜像は視認され難い。つまり、発光画像１２の潜像が容易に解明されるのを防ぐことができる。このことにより、偽造防止媒体１０の偽造をさらに困難にすることができる。
また、本実施の形態では、第１絵柄要素２０と第２絵柄要素２５とが接する部分が無い。つまり、ＵＶ−Ａ照射時に、第１絵柄要素２０の青色部分２１ｂと第２絵柄要素２５の青色部分２６ｂとが接する部分が無い。ここで、仮に青色部分２１ｂと青色部分２６ｂとが接した場合、接する部分において不規則に反射または屈折する光が存在することがある。本実施の形態によれば、そのような光に起因して青色部分２１ｂと青色部分２６ｂとの間の境界が視認される可能性が無い。このことにより、第１絵柄要素２０の潜像が解明されるのをより強固に防ぐことができる。
【００４８】
比較例
ここで、マイクロ文字を用いない比較例について説明する。
図７は、比較例において、ＵＶ−A照射時の偽造防止媒体１０の発光画像１２を示す平面図である。この偽造防止媒体１０では、発光画像１２の第１絵柄要素２０と、第２絵柄要素２５としての背景領域とが、第１蛍光体を含む第１蛍光インキ１３および第２蛍光体を含む第２蛍光インキ１４を基材１１上にベタ印刷することにより形成されている。第１絵柄要素２０は、「Ａ」という文字からなっており、また第２絵柄要素２５は、第１絵柄要素２０を取り囲むよう形成されている。ＵＶ−A照射により、第１絵柄要素２０が青色部分２１ｂとして視認される。一方、第２絵柄要素２５も青色部分２６ｂとして視認される。しかしながら、青色部分２１ｂと青色部分２６ｂとの間に微小な色差が存在する場合、「Ａ」の文字が視認されてしまう。
【００４９】
変形例
なお本実施の形態において、１つのマイクロ文字は第１絵柄要素２０又は第２絵柄要素２５のいずれかで構成されている例を示した。しかしながら、これに限られることはなく、１つのマイクロ文字は第１絵柄要素２０及び第２絵柄要素２５の両方を含んでいても良い。以下、図８A乃至図９Ｂを参照して、１つのマイクロ文字が第１絵柄要素２０及び第２絵柄要素２５を含んでいる例について説明する。
【００５０】
図８Aは、本変形例において、可視光下における偽造防止媒体１０の発光画像１２を示す平面図であり、図８Bは、図８Aに示す発光画像１２のVIII−VIII線に沿った断面図である。図８Aおよび図８Bに示すように、本変形例においては、複数のマイクロ文字の一部について、１つのマイクロ文字が第１絵柄要素２０及び第２絵柄要素２５を含んでいる。
【００５１】
次に、図８A、図９Ａおよび図９Ｂを参照して、本変形例において、偽造防止媒体１０からなる有価証券が正規のものであるかどうかを検査する方法について説明する。
【００５２】
（可視光照射時）
可視光下においては、図８Aに示すように、第１絵柄要素２０および第２絵柄要素２５はそれぞれ、白色部分２１ａ，２６ａから形成されている。このため、可視光下においては、発光画像１２の第１絵柄要素２０の潜像は現れない。
【００５３】
（ＵＶ−Ａ照射時）
図９Ａは、ＵＶ−Ａ照射時の偽造防止媒体１０の発光画像１２を示す平面図である。第１絵柄要素２０および第２絵柄要素２５はそれぞれ、青色部分２１ｂ，２６ｂから形成されている。このため、ＵＶ−Ａ照射時において、発光画像１２の第１絵柄要素２０の潜像は現れない。
【００５４】
（ＵＶ−Ｃ照射時）
図９Ｂは、ＵＶ−Ｃ照射時の偽造防止媒体１０の発光画像１２を示す平面図である。第１絵柄要素２０および第２絵柄要素２５はそれぞれ、赤色部分２１ｃおよび緑色部分２６ｃから形成されている。このため、ＵＶ−Ｃ照射時において、発光画像１２の第１絵柄要素２０の潜像が視認される。
【００５５】
本変形例によれば、複数のマイクロ文字の一部について、１つのマイクロ文字が第１絵柄要素２０及び第２絵柄要素２５を含むようにしたので、ＵＶ−Ｃ照射時に、第１の実施の形態よりも輪郭が滑らかな第１絵柄要素２０の潜像を視認することができる。これにより、ＵＶ−Ｃ照射時に、より容易に潜像の形状を認識できる。
また、第１の実施の形態と同様の効果も得られる。
【００５６】
その他の変形例
また本実施の形態において、第１蛍光インキ１３として、蛍光体ＤＥ−ＲＢを含むインキが用いられ、第２蛍光インキ１４として、蛍光体ＤＥ−ＧＢを含むインキが用いられる例を示した。すなわち、以下に示す表１における組合せ＿１のインキが用いられる例を示した。しかしながら、これに限られることはなく、第１蛍光インキ１３および第２蛍光インキ１４として、表１における組合せ＿２または組合せ＿３のインキを用いてもよい。組合せ＿２または組合せ＿３の場合であっても、組合せ＿１の場合と同様に、第１蛍光インキ１３および第２蛍光インキ１４は、ＵＶ−Ａを照射されたとき同色または同色として視認される色を発光するインキとなっている。このため、発光画像１２の潜像が容易に解明されるのを防ぐことができ、このことにより、偽造防止媒体１０の偽造をより困難にすることができる。
なお表１において、「ＵＶ−Ａ」または「ＵＶ−Ｃ」の列に示されている色は、ＵＶ−ＡまたはＵＶ−Ｃが照射されたときに第１蛍光インキ１３および第２蛍光インキ１４から発せられる光の色をそれぞれ示している。また、「蛍光体」の列に示されている名称は、いずれも根本特殊化学における製品名を表している。この場合、製品名「ＤＥ−Ｘ１Ｘ２」において、Ｘ１がＵＶ−Ｃ照射時の発光色を示しており、Ｘ２がＵＶ−Ａ照射時の発光色を示している。例えば蛍光体ＤＥ−ＧＲは、ＵＶ−Ｃ照射時に緑色光を発し、ＵＶ−Ａ照射時に赤色光を発する蛍光体となっている。
【表１】
0005622087.tif 000003
【００５７】
また本実施の形態において、第１絵柄要素２０が第１蛍光インキ１３を用いて形成され、第２絵柄要素２５が第２蛍光インキ１４を用いて形成される例を示した。しかしながら、これに限られることはなく、第２蛍光インキ１４を用いて第１絵柄要素２０を形成し、第１蛍光インキ１３を用いて第２絵柄要素２５を形成してもよい。この場合も、第１絵柄要素２０の潜像は、ＵＶ−Ａを照射されたときには視認されず、ＵＶ−Ｃを照射されてはじめて視認される。このことにより、偽造防止媒体１０の偽造を困難にすることができる。
【００５８】
第２の実施の形態
次に、図１０乃至図１１Ｂを参照して、本発明の第２の実施の形態について説明する。図１０乃至図１１Ｂに示す第２の実施の形態は、ＵＶ−Ｃを照射されたとき光を発光しないインキから第２蛍光インキ１４が構成される点が異なるのみであり、他の構成は、図１乃至図９Ｂに示す第１の実施の形態と略同一である。図１０乃至図１１Ｂに示す第２の実施の形態において、図１乃至図９Ｂに示す第１の実施の形態と同一部分には同一符号を付して詳細な説明は省略する。
【００５９】
（第２蛍光インキ）
はじめに図１０を参照して、本実施の形態における第２蛍光インキ１４について説明する。図１０において、一点鎖線は、ＵＶ−Ａを照射されたときの第２蛍光インキ１４の蛍光発光スペクトルを示しており、実線は、ＵＶ−Ｃを照射されたときの第２蛍光インキ１４の蛍光発光スペクトルを示している。図１０において、ＵＶ−Ｃ照射時のスペクトル（実線）のピークにおける強度は、ＵＶ−Ａ照射時のスペクトル（一点鎖線）の最大のピークにおけるピーク強度を１とした場合の相対的な強度として示されている。
【００６０】
図１０に示すように、第２蛍光インキ１４は、ＵＶ−Ａを照射されたとき、ピーク波長λ２Ａが約４４５ｎｍである青色（第１色）の光、または青色（第１色）と同色として視認される光を発する。また第２蛍光インキ１４は、ＵＶ−Ｃを照射されたとき、ＵＶ−Ａ照射時のピーク強度に比べて著しく小さい強度を有する約４４５ｎｍの波長の光を発する。このように、ＵＶ−Ｃ照射時に第２蛍光インキ１４から発せられる光は、その強度が非常に小さく、従って肉眼によっては殆ど感知されない。このため、ＵＶ−Ｃ照射時、第２蛍光インキ１４は無色のインキとして視認される。このように本実施の形態において、第２蛍光インキ１４に含まれる第２蛍光体は、ＵＶ−Ａ照射時にのみ光を発する単色性蛍光体となっている。
【００６１】
なお本発明において、「無色」とは、第２蛍光インキ１４自体から発せられる光の色以外の要素により、第２蛍光インキ１４を観察する際に視認される色が決定されることを意味する。例えば、第２蛍光インキ１４にＵＶ−Ｃ照射のみが照射されている場合、第２蛍光インキ１４が黒色のものとして視認される。また、第２蛍光インキ１４にＵＶ−Ｃおよび可視光が照射されている場合、上述のように可視光が第２蛍光インキ１４中の顔料粒子によって散乱され、これによって、第２蛍光インキ１４が白色のものとして視認される。
【００６２】
また本発明において「ＵＶ−Ｃを照射されたとき光を発光しない」とは、ＵＶ−Ｃを照射されたとき光を全く発光しない場合だけでなく、図１０において実線により示すように、肉眼によっては特定の色の光として感知され得ない程度の小さな強度の光を発光する場合も含む概念である。
【００６３】
次に、このような構成からなる本実施の形態の作用について説明する。ここでは、はじめに、偽造防止媒体１０を作製する方法について説明する。次に、偽造防止媒体１０からなる有価証券が正規のものであるかどうかを検査する方法について説明する。
【００６４】
偽造防止媒体の作製方法
はじめに基材１１を準備する。基材１１としては、例えば、厚み１８８μｍの白色のポリエチレンテレフタレートからなる基材が用いられる。次に、第１蛍光インキ１３および第２蛍光インキ１４を用いて、基材１１上に、第１絵柄要素２０および第２絵柄要素２５からなる発光画像を形成する。
【００６５】
この際用いられる第１蛍光インキ１３は、図１乃至図９Ｂに示す第１の実施の形態における第１蛍光インキ１３と同一であるので、詳細な説明は省略する。第２蛍光インキ１４としては、所定の蛍光特性を有する単色性蛍光体２５重量％に、マイクロシリカ８重量％、有機ベントナイト２重量％、アルキッド樹脂５０重量％およびアルキルベンゼン系溶剤１５重量％を加えてオフセットインキ化されたインキが用いられる。第２蛍光インキ１４用の単色性蛍光体（第２蛍光体）としては、例えば、波長３６５ｎｍの紫外線で青色光を発光する蛍光体Ｄ−１１８４（根本特殊化学製）が用いられる。
【００６６】
確認方法
次に、図１１Ａおよび図１１Ｂを参照して、偽造防止媒体１０からなる有価証券が正規のものであるかどうかを検査（確認）する方法について説明する。
【００６７】
（ＵＶ−Ａ照射時）
図１１Ａは、ＵＶ−Ａ照射時の偽造防止媒体１０の発光画像１２を示す平面図である。第１絵柄要素２０を形成する第１蛍光インキ１３は蛍光体ＤＥ−ＲＢを含んでおり、このため、第１蛍光インキ１３は青色光を発光する。従って、第１絵柄要素２０が青色部分２１ｂとして視認される。一方、第２絵柄要素２５を形成する第２蛍光インキ１４は蛍光体Ｄ−１１８４を含んでおり、このため、第２蛍光インキ１４は青色光を発光する。従って、第２絵柄要素２５も青色部分２６ｂとして視認される。このように、ＵＶ−Ａ照射時において、第１絵柄要素２０および第２絵柄要素２５は、同色のマイクロ文字として視認される。従って、ＵＶ−Ａ照射時において、発光画像１２の第１絵柄要素２０の潜像は現れない。
【００６８】
（ＵＶ−Ｃ照射時）
図１１Ｂは、ＵＶ−Ｃ照射時の偽造防止媒体１０の発光画像１２を示す平面図である。第１絵柄要素２０を形成する第１蛍光インキ１３は蛍光体ＤＥ−ＲＢを含んでおり、このため、第１蛍光インキ１３は赤色光を発光する。従って、第１絵柄要素２０が赤色部分２１ｃとして視認される。一方、第２絵柄要素２５を形成する第２蛍光インキ１４は、ＵＶ−Ｃ照射時に光を発光しないインキからなっており、従って、第２絵柄要素２５は無色部分２６ｄとして視認される。従って、ＵＶ−Ｃ照射時において、発光画像１２の第１絵柄要素２０の潜像が視認される。
なお、図１１Ｂにおいては、便宜上、第２絵柄要素２５のマイクロ文字「Ｄ」、「Ｎ」及び「Ｐ」を表す線が表示されているが、実際には視認されない。
【００６９】
このように本実施の形態によれば、偽造防止媒体１０は、基材１１と、第１蛍光体を含む第１蛍光インキ１３を用いて基材１１上に形成された複数の第１絵柄要素２０と、第２蛍光体を含む第２蛍光インキ１４を用いて基材１１上に形成された複数の第２絵柄要素２５と、を備えている。複数の第１絵柄要素２０と複数の第２絵柄要素２５は、複数のマイクロ文字「Ｄ」、「Ｎ」及び「Ｐ」を形成している。複数のマイクロ文字は、複数のマイクロ文字列ｍを形成すると共に、第１絵柄要素２０はマイクロ文字列ｍ上の潜像を形成している。第１蛍光インキ１３の第１蛍光体は、ＵＶ−Ａを照射されたとき、青色（第１色）の光を発光し、ＵＶ−Ｃを照射されたとき、赤色（第２色）の光を発光する蛍光体ＤＥ−ＲＢからなっている。一方、第２蛍光インキ１４の第２蛍光体は、ＵＶ−Ａを照射されたとき、青色（第１色）または青色（第１色）と同色として視認される色の光を発光し、ＵＶ−Ｃを照射されたとき、光を発光しない蛍光体Ｄ−１１８４からなっている。このため、第１絵柄要素２０と第２絵柄要素２５とは、ＵＶ−Ａを照射されたときには判別されず、ＵＶ−Ｃを照射されてはじめて判別される。すなわち、第１絵柄要素２０の潜像は、ＵＶ−Ａを照射されたときにはマイクロ文字列ｍ上で埋没していて視認されず、ＵＶ−Ｃを照射されてはじめてマイクロ文字列ｍ上に発現して視認される。
このように、照射される光の波長に応じて異なる色を発する二色性蛍光体を含むインキを用いて第１絵柄要素２０を形成することにより、偽造防止媒体１０の偽造を困難にすることができる。また、肉眼によって、発光画像１２が正規のものかどうかを簡易かつ迅速に判別することが可能となる。
また、第１蛍光インキ１３の第１蛍光体および第２蛍光インキ１４の第２蛍光体を、ＵＶ−Ａを照射されたとき同色または同色として視認される色を発光するよう選択することにより、発光画像１２の潜像が容易に解明されるのを防ぐことができる。このことにより、偽造防止媒体１０の偽造をより困難にすることができる。
また、ＵＶ−Ａに比べて光源を準備するのが困難なＵＶ−Ｃが照射されてはじめて第１絵柄要素２０の潜像が現れるよう、第１蛍光インキ１３および第２蛍光インキ１４の第１蛍光体および第２蛍光体を選択することにより、第１絵柄要素２０の潜像が解明されるのをより強固に防ぐことができる。このことにより、偽造防止媒体１０の偽造をさらに困難にすることができる。
また、第１の実施の形態における他の効果と同様の効果も得られる。
【００７０】
変形例
なお本実施の形態において、第１蛍光インキ１３として、蛍光体ＤＥ−ＲＢを含むインキが用いられ、第２蛍光インキ１４として、蛍光体Ｄ−１１８４を含むインキが用いられる例を示した。すなわち、以下に示す表２における組合せ＿１のインキが用いられる例を示した。しかしながら、これに限られることはなく、第１蛍光インキ１３および第２蛍光インキ１４として、表２における組合せ＿２乃至組合せ＿６のインキを用いてもよい。組合せ＿２乃至組合せ＿６の場合であっても、組合せ＿１の場合と同様に、第１蛍光インキ１３および第２蛍光インキ１４は、ＵＶ−Ａを照射されたとき同色または同色として視認される色を発光するインキとなっている。このため、発光画像１２の潜像が容易に解明されるのを防ぐことができ、このことにより、偽造防止媒体１０の偽造をより困難にすることができる。
なお表２において、「ＵＶ−Ｃ」の列における「無色」は、光が発光されないことを示している。また、表２において、「蛍光体」の列に示されている名称は、いずれも根本特殊化学における製品名を表している。
【表２】
0005622087.tif 000004
【００７１】
また本実施の形態において、第１絵柄要素２０が第１蛍光インキ１３を用いて形成され、第２絵柄要素２５が第２蛍光インキ１４を用いて形成される例を示した。しかしながら、これに限られることはなく、第２蛍光インキ１４を用いて第１絵柄要素２０を形成し、第１蛍光インキ１３を用いて第２絵柄要素２５を形成してもよい。この場合も、第１絵柄要素２０により構成される発光画像１２の潜像は、ＵＶ−Ａを照射されたときには視認されず、ＵＶ−Ｃを照射されてはじめて視認される。このことにより、偽造防止媒体１０の偽造を困難にすることができる。
【００７２】
第３の実施の形態
次に、図１２Ａ乃至図１４Ｂを参照して、本発明の第３の実施の形態について説明する。図１２Ａ乃至図１４Ｂに示す第３の実施の形態は、第１蛍光インキおよび第２蛍光インキが、ＵＶ−Ｃを照射されたとき同色または同色として視認される色の光を発光するよう選択される点が異なるのみであり、他の構成は、図１乃至図９Ｂに示す第１の実施の形態と略同一である。図１２Ａ乃至図１４Ｂに示す第３の実施の形態において、図１乃至図９Ｂに示す第１の実施の形態と同一部分には同一符号を付して詳細な説明は省略する。
【００７３】
蛍光インキ
はじめに図１２Ａ乃至図１３を参照して、本実施の形態における第１蛍光インキ１３および第２蛍光インキ１４について詳細に説明する。図１２Ａは、第１蛍光インキ１３の蛍光発光スペクトルを示す図であり、図１２Ｂは、第２蛍光インキ１４の蛍光発光スペクトルを示す図である。図１３は、特定の波長領域内の光が照射された場合に第１蛍光インキ１３および第２蛍光インキ１４から発光される光の色度をＸＹＺ表色系で示すｘｙ色度図である。
【００７４】
（第１蛍光インキ）
はじめに第１蛍光インキ１３について説明する。図１２Ａにおいて、一点鎖線は、ＵＶ−Ａ（第２波長領域内の不可視光）を照射されたときの第１蛍光インキ１３の蛍光発光スペクトルを示しており、実線は、ＵＶ−Ｃ（第１波長領域内の不可視光）を照射されたときの第１蛍光インキ１３の蛍光発光スペクトルを示している。なお図１２Ａに示す各蛍光発光スペクトルは、最大のピークにおけるピーク強度が１となるよう規格化されている。
【００７５】
図１２Ａに示すように、第１蛍光インキ１３は、ＵＶ−Ｃを照射されたとき、ピーク波長λ１Ｃが約５２５ｎｍである緑色（第１色）の光を発し、ＵＶ−Ａを照射されたとき、ピーク波長λ１Ａが約４４５ｎｍである青色（第２色）の光を発する。
なおＵＶ−Ｃ照射時には、図１２Ａに示すように約４４５ｎｍの波長の光も発光される。しかしながら、約４４５ｎｍの波長の光は、ピーク波長λ１Ｃが約５２５ｎｍである光に比べて強度が小さいため、ＵＶ−Ｃ照射時、第１蛍光インキ１３からの光は緑色光として視認される。同様に、ＵＶ−Ａ照射時、図１２Ａに示すように約５２５ｎｍの波長の光も発光されるが、その強度が小さいため、第１蛍光インキ１３からの光は青色光として視認される。
【００７６】
（第２蛍光インキ）
次に第２蛍光インキ１４について説明する。図１２Ｂにおいて、一点鎖線は、ＵＶ−Ａを照射されたときの第２蛍光インキ１４の蛍光発光スペクトルを示しており、実線は、ＵＶ−Ｃを照射されたときの第２蛍光インキ１４の蛍光発光スペクトルを示している。図４Ａの場合と同様に、図４Ｂに示す各蛍光発光スペクトルは、最大のピークにおけるピーク強度が１となるよう規格化されている。
【００７７】
図１２Ｂに示すように、第２蛍光インキ１４は、ＵＶ−Ｃを照射されたとき、約５２５ｎｍのピーク波長λ２Ｃを有する緑色（第１色）の光、または緑色（第１色）と同色として視認される光を発する。また第２蛍光インキ１４は、ＵＶ−Ａを照射されたとき、約６１０ｎｍのピーク波長λ２Ａを有する赤色（第３色）の光を発する。
なおＵＶ−Ｃ照射時には、図１２Ｂに示すように約６１０ｎｍの波長の光も発光される。しかしながら、約６１０ｎｍの波長の光は、ピーク波長λ２Ｃが約５２５ｎｍである光に比べて強度が小さいため、ＵＶ−Ｃ照射時、第２蛍光インキ１４からの光は緑色光として視認される。
【００７８】
次に図１３を参照して、ＵＶ−ＡまたはＵＶ−Ｃ照射時に第１蛍光インキ１３または第２蛍光インキ１４から発せられる光の色についてより詳細に説明する。図１３に示す符号において、白抜きの四角または三角は、ＵＶ−Ａ照射時に第１蛍光インキ１３または第２蛍光インキ１４から発せられる光の色度をそれぞれ示している。また、黒塗りの四角または三角は、ＵＶ−Ｃ照射時に第１蛍光インキ１３または第２蛍光インキ１４から発せられる光の色度をそれぞれ示している。
【００７９】
上述の緑色（第１色）は、図１３において黒塗りの四角で示される色度に対応している。また、上述の青色（第２色）は、図１３において白抜きの四角で示される色度に対応しており、上述の赤色（第３色）は、図１３において白抜きの三角で示される色度に対応している。
【００８０】
図１３に示すように、ｘｙ色度図において、ＵＶ−Ｃ照射時に第１蛍光インキ１３から発せられる光の色度と、ＵＶ−Ｃ照射時に第２蛍光インキ１４から発せられる光の色度とは近接している。このため上述のように、ＵＶ−Ｃを照射されたときに第２蛍光インキ１４から発せられる光は、ＵＶ−Ｃ照射時に第１蛍光インキ１３から発せられる光と同色の光として視認される。このため、第１蛍光インキ１３を用いて形成された第１絵柄要素２０と、第２蛍光インキ１４を用いて形成された第２絵柄要素２５とは、ＵＶ−Ｃ照射時、同色のマイクロ文字として視認される。従って後述するように、ＵＶ−Ｃ照射時には、発光画像１２の全てのマイクロ文字が単一色（緑色）で視認され、このため、第１絵柄要素２０の潜像は現れない。
【００８１】
また図１３に示すように、ｘｙ色度図において、ＵＶ−Ａ照射時に第１蛍光インキ１３から発せられる光の色度と、ＵＶ−Ｃ照射時に第２蛍光インキ１４から発せられる光の色度は大きく離れている。このため、ＵＶ−Ａを照射されたときに第２蛍光インキ１４から発せられる光は、ＵＶ−Ａ照射時に第１蛍光インキ１３から発せられる光と異色の光として視認される。このため、第１蛍光インキ１３を用いて形成された第１絵柄要素２０と、第２蛍光インキ１４を用いて形成された第２絵柄要素２５とは、ＵＶ−Ａ照射時、異色のマイクロ文字として視認される。従って後述するように、ＵＶ−Ａ照射時には、第１絵柄要素２０の潜像が視認される。
【００８２】
次に、このような構成からなる本実施の形態の作用について説明する。ここでは、はじめに、偽造防止媒体１０を作製する方法について説明する。次に、偽造防止媒体１０からなる有価証券が正規のものであるかどうかを検査する方法について説明する。
【００８３】
偽造防止媒体の作製方法
はじめに基材１１を準備する。基材１１としては、例えば、厚み１８８μｍの白色のポリエチレンテレフタレートからなる基材が用いられる。次に、第１蛍光インキ１３および第２蛍光インキ１４を用いて、基材１１上に、第１絵柄要素２０および第２絵柄要素２５からなる発光画像を形成する。
【００８４】
この際、第１蛍光インキ１３および第２蛍光インキ１４としては、例えば、所定の蛍光特性を有する二色性蛍光体２５重量％に、マイクロシリカ８重量％、有機ベントナイト２重量％、アルキッド樹脂５０重量％およびアルキルベンゼン系溶剤１５重量％を加えてオフセットインキ化されたインキがそれぞれ用いられる。このうち第１蛍光インキ１３用の二色性蛍光体（第１蛍光体）としては、例えば、波長２５４ｎｍの紫外線により励起されて緑色光を発光し、波長３６５ｎｍの紫外線により励起されて青色光を発光する蛍光体ＤＥ−ＧＢ（根本特殊化学製）が用いられる。また第２蛍光インキ１４用の二色性蛍光体（第２蛍光体）としては、例えば、波長２５４ｎｍの紫外線により励起されて緑色光を発光し、波長３６５ｎｍの紫外線により励起されて赤色光を発光する蛍光体ＤＥ−ＧＲ（根本特殊化学製）が用いられる。なお、波長２５４ｎｍの紫外線照射時に第１蛍光インキ１３から発せられる緑色光と第２蛍光インキ１４から発せられる緑色光との間の色差ΔＥ＊ａｂが１０以下、好ましくは３以下となるよう、インキ１３，１４の二色性蛍光体がそれぞれ選択されている。
【００８５】
確認方法
次に、図１４Ａおよび図１４Ｂを参照して、偽造防止媒体１０からなる有価証券が正規のものであるかどうかを検査（確認）する方法について説明する。
【００８６】
（ＵＶ−Ｃ照射時）
図１４Ａは、ＵＶ−Ｃ照射時の偽造防止媒体１０の発光画像１２を示す平面図である。第１絵柄要素２０を形成する第１蛍光インキ１３は蛍光体ＤＥ−ＧＢを含んでおり、このため、第１蛍光インキ１３は緑色光を発光する。従って、第１絵柄要素２０が緑色部分２２ｃとして視認される。一方、第２絵柄要素２５を形成する第２蛍光インキ１４は蛍光体ＤＥ−ＧＲを含んでおり、このため、第２蛍光インキ１４は緑色光を発光する。従って、第２絵柄要素２５も緑色部分２７ｃとして視認される。このように、ＵＶ−Ｃ照射時において、第１絵柄要素２０および第２絵柄要素２５は、同色のマイクロ文字として視認される。従って、ＵＶ−Ｃ照射時において、発光画像１２の第１絵柄要素２０の潜像は現れない。
【００８７】
（ＵＶ−Ａ照射時）
図１４Ｂは、ＵＶ−Ａ照射時の偽造防止媒体１０の発光画像１２を示す平面図である。第１絵柄要素２０を形成する第１蛍光インキ１３は蛍光体ＤＥ−ＧＢを含んでおり、このため、第１蛍光インキ１３は青色光を発光する。従って、第１絵柄要素２０が青色部分２２ｂとして視認される。一方、第２絵柄要素２５を形成する第２蛍光インキ１４は蛍光体ＤＥ−ＧＲを含んでおり、このため、第２蛍光インキ１４は赤色光を発光する。従って、第２絵柄要素２５は赤色部分２７ｂとして視認される。このように、ＵＶ−Ａ照射時において、第１絵柄要素２０および第２絵柄要素２５は、異なった色のマイクロ文字として視認される。従って、ＵＶ−Ａ照射時において、発光画像１２の第１絵柄要素２０の潜像が視認される。
【００８８】
このように本実施の形態によれば、偽造防止媒体１０は、基材１１と、第１蛍光体を含む第１蛍光インキ１３を用いて基材１１上に形成された複数の第１絵柄要素２０と、第２蛍光体を含む第２蛍光インキ１４を用いて基材１１上に形成された複数の第２絵柄要素２５と、を備えている。複数の第１絵柄要素２０と複数の第２絵柄要素２５は、複数のマイクロ文字「Ｄ」、「Ｎ」及び「Ｐ」を形成している。複数のマイクロ文字は、複数のマイクロ文字列ｍを形成すると共に、第１絵柄要素２０はマイクロ文字列ｍ上の潜像を形成している。第１蛍光インキ１３の第１蛍光体は、ＵＶ−Ｃを照射されたとき、緑色（第１色）の光を発光し、ＵＶ−Ａを照射されたとき、青色（第２色）の光を発光する蛍光体ＤＥ−ＧＢからなっている。一方、第２蛍光インキ１４の第２蛍光体は、ＵＶ−Ｃを照射されたとき、緑色（第１色）または緑色（第１色）と同色として視認される色の光を発光し、ＵＶ−Ａを照射されたとき、赤色（第３色）の光を発光する蛍光体ＤＥ−ＧＲからなっている。このため、第１絵柄要素２０と第２絵柄要素２５とは、ＵＶ−Ｃを照射されたときには判別されず、ＵＶ−Ａを照射されてはじめて判別される。すなわち、第１絵柄要素２０の潜像は、ＵＶ−Ｃを照射されたときにはマイクロ文字列ｍ上で埋没していて視認されず、ＵＶ−Ａを照射されてはじめてマイクロ文字列ｍ上に発現して視認される。
このように、二色性蛍光体を含むインキを用いて第１絵柄要素２０および第２絵柄要素２５を形成することにより、単色性蛍光体を含むインキが用いられる場合に比べて、偽造防止媒体１０の偽造を困難にすることができる。また、肉眼によって、発光画像１２が正規のものかどうかを簡易かつ迅速に判別することが可能となる。
また、第１蛍光インキ１３の第１蛍光体および第２蛍光インキ１４の第２蛍光体を、ＵＶ−Ｃを照射されたとき同色または同色として視認される色を発光するよう選択することにより、発光画像１２の潜像が容易に解明されるのを防ぐことができる。このことにより、偽造防止媒体１０の偽造をより困難にすることができる。
また、第１の実施の形態における他の効果と同様の効果も得られる。
【００８９】
変形例
なお本実施の形態において、第１蛍光インキ１３として、蛍光体ＤＥ−ＧＢを含むインキが用いられ、第２蛍光インキ１４として、蛍光体ＤＥ−ＧＲを含むインキが用いられる例を示した。すなわち、以下に示す表３における組合せ＿１のインキが用いられる例を示した。しかしながら、これに限られることはなく、第１蛍光インキ１３および第２蛍光インキ１４として、表３における組合せ＿２または組合せ＿３のインキを用いてもよい。組合せ＿２または組合せ＿３の場合であっても、組合せ＿１の場合と同様に、第１蛍光インキ１３および第２蛍光インキ１４は、ＵＶ−Ａを照射されたとき同色または同色として視認される色を発光するインキとなっている。このため、発光画像１２の潜像が容易に解明されるのを防ぐことができ、このことにより、偽造防止媒体１０の偽造をより困難にすることができる。
なお表３において、「蛍光体」の列に示されている名称は、いずれも根本特殊化学における製品名を表している。
【表３】
0005622087.tif 000005
【００９０】
その他の変形例
また本実施の形態において、二色性蛍光体から第２蛍光インキ１４が構成される例を示した。しかしながら、これに限られることはなく、図１０乃至図１１Ｂに示す第２の実施の形態の場合と同様に、第２蛍光インキ１４が、単色性蛍光体から構成されていてもよい。この場合の第１蛍光インキ１３および第２蛍光インキ１４の組合せが特に限られることはなく、以下の表４に示すように、様々な組合せが適宜選択され得る。
なお表４において、「蛍光体」の列に示されている名称は、いずれも根本特殊化学における製品名を表している。
【表４】
0005622087.tif 000006
【００９１】
また本実施の形態において、第１絵柄要素２０が第１蛍光インキ１３を用いて形成され、第２絵柄要素２５が第２蛍光インキ１４を用いて形成される例を示した。しかしながら、これに限られることはなく、第２蛍光インキ１４を用いて第１絵柄要素２０を形成し、第１蛍光インキ１３を用いて第２絵柄要素２５を形成してもよい。この場合も、第１絵柄要素２０により構成される発光画像１２の潜像は、ＵＶ−Ｃを照射されたときには視認されず、ＵＶ−Ａを照射されてはじめて視認される。このことにより、偽造防止媒体１０の偽造を困難にすることができる。
【００９２】
また上記各実施の形態において、第１蛍光インキ１３および第２蛍光インキ１４から発光される光の色が、青色、赤色または緑色のいずれかの色である例を示した。しかしながら、これに限られることはなく、第１波長領域内の不可視光を照射されたとき同色として視認され、第２波長領域内の不可視光を照射されたとき異色として視認される様々な組合せのインキをインキ１３，１４として用いることができる。
【００９３】
また上記各実施の形態において、第２波長領域内の不可視光が照射されたとき、第１蛍光体は、第２色の光を発光し、第２蛍光体は、第３色の光を発光し、または、光を発光せず、このため、第１蛍光体を含む第１絵柄要素および第２蛍光体を含む第２絵柄要素が、互いに異色の領域として視認される例を示した。しかしながら、これに限られることはない。
すなわち、第１波長領域内の不可視光が照射されたとき、第１蛍光体および第２蛍光体が、互いに同色として視認される色の光を発光し、かつ、第２波長領域内の不可視光が照射されたとき、第１蛍光体を含む第１絵柄要素および第２蛍光体を含む第２絵柄要素が、互いに異色の領域として視認される限りにおいて、第１蛍光体の発光色を任意に設定することが可能である。
例えば、第１波長領域内の不可視光が照射されたとき、第１色の光を発光するとともに、第２波長領域内の不可視光が照射されたときにも、第１色または第１色と同色として視認される色の光を発光する第１蛍光体が用いられてもよい。この場合、第１波長領域内の不可視光が照射されたとき、第１蛍光体は、第１色の光を発光し、第２蛍光体は、第１色または第１色と同色として視認される色の光を発光する。このため、第１絵柄要素および第２絵柄要素が、互いに同色の絵柄要素として視認される。一方、第２波長領域内の不可視光が照射されたとき、第１蛍光体は、第１色または第１色と同色として視認される色の光を発光し、前記第２蛍光体は、第３色の光を発光する、または、光を発光しない。このため、第１絵柄要素および第２絵柄要素が、互いに異色の絵柄要素として視認される。従って、第１絵柄要素により構成される発光画像の潜像は、第１波長領域内の不可視光を照射されたときにはマイクロ文字列上で埋没していて視認されず、第２波長領域内の不可視光を照射されてはじめてマイクロ文字列上に発現して視認される。これによって、簡易かつ迅速に発光画像の確認を行うことができ、且つ、発光画像のパターンが容易に解明されるのを防ぐことができる。
【００９４】
第４の実施の形態
上記各実施形態では、第１絵柄要素２０の潜像は、ＵＶ−Ａ及びＵＶ−Ｃの一方を照射したときには視認されず、他方を照射されてはじめて視認されるものであったが、ＵＶ−Ａ照射、ＵＶ−Ｃ照射では視認されず、ＵＶ−ＡとＵＶ−Ｃの同時照射ではじめて視認されるようにすることもできる。
【００９５】
このとき、第１蛍光インキ１３は、ＵＶ−Ａを照射されたとき、ピーク波長が約６１０ｎｍである赤色（第１色）の光を発し、ＵＶ−Ｃを照射されたとき、ピーク波長が約５２０ｎｍである緑色（第２色）の光を発する。また、第１蛍光インキ１３は、ＵＶ−ＡとＵＶ−Ｃを同時照射された場合、黄色（第５色）の光を発する。第１蛍光インキ１３には、例えば、上述の蛍光体ＤＥ−ＧＲを用いることができる。
【００９６】
また、第２蛍光インキ１４は、ＵＶ−Ａを照射されたとき、ピーク波長（発光波長）が約６１５ｎｍである赤色（第３色）の光を発し、ＵＶ−Ｃを照射されたとき、ピーク波長が約５１５ｎｍである緑色（第４色）の光を発する。また、第２蛍光インキ１４は、ＵＶ−ＡとＵＶ−Ｃを同時照射された場合、黄色（第６色）の光を発する。第２蛍光インキ１４には、蛍光体ＤＥ−ＧＲとの発光波長差が５ｎｍ以下である蛍光媒体ＤＥ−ＧＲ１（根本特殊化学製）を用いることができる。すなわち、蛍光媒体ＤＥ−ＧＲ１は、短波長側の発光波長がＤＥ−ＧＲより約５ｎｍ小さく、長波長側の発光波長がＤＥ−ＧＲより約５ｎｍ大きい。
【００９７】
ピーク波長が約６１０ｎｍである赤色（第１色）と、ピーク波長が約６１５ｎｍである赤色（第３色）は同色として視認される。また、ピーク波長が約５２０ｎｍである緑色（第２色）と、ピーク波長が約５１５ｎｍである緑色（第４色）は同色として視認される。
【００９８】
一方、ＵＶ−ＡとＵＶ−Ｃを同時照射された場合に第１蛍光インキ１３が発する黄色（第５色）と、第２蛍光インキ１４が発する黄色（第６色）との色差ΔＥ＊ａｂは約１２となり、異色として視認される。
【００９９】
第１蛍光インキ１３が蛍光媒体ＤＥ−ＧＲを含み、第２蛍光インキ１４が蛍光媒体ＤＥ−ＧＲ１を含むため、ＵＶ−Ａのみを照射する場合、第１絵柄要素２０および第２絵柄要素２５は、同色（赤色）のマイクロ文字として視認され、発光画像２１２の第１絵柄要素２０の潜像はマイクロ文字列ｍ上で埋没していて現れない。ＵＶ−Ｃのみを照射する場合、第１絵柄要素２０および第２絵柄要素２５は、同色（緑色）のマイクロ文字として視認され、発光画像１２の第１絵柄要素２０の潜像はマイクロ文字列ｍ上で埋没していて現れない。ＵＶ−Ａ及びＵＶ−Ｃを同時照射する場合、第１絵柄要素２０および第２絵柄要素２５は、互いに異なる黄色のマイクロ文字として視認され、発光画像１２の第１絵柄要素２０の潜像がマイクロ文字列ｍ上に発現して視認される。
【０１００】
すなわち、第１絵柄要素２０の潜像は、ＵＶ−Ａを照射されたとき、ＵＶ−Ｃを照射されたときにはマイクロ文字列ｍ上で埋没していて視認されず、ＵＶ−Ａ及びＵＶ−Ｃを同時照射されてはじめてマイクロ文字列ｍ上に発現して視認される。
【０１０１】
このように、第１絵柄要素２０を形成するインキに含まれる二色性蛍光体と、第２絵柄要素２５を形成するインキに含まれる二色性蛍光体とを、発光波長差が５ｎｍ以下のものとすることで、偽造防止媒体１０の偽造をさらに困難にすることができる。
【０１０２】
さらに、第１絵柄要素２０と第２絵柄要素２５が複数のマイクロ文字列ｍを形成するようにしたので、第１絵柄要素２０と第２絵柄要素２５との間に微小な色差又は厚みの差が存在していても、ＵＶ−Ａを照射されたとき、ＵＶ−Ｃを照射されたときに、第１絵柄要素２０の潜像は視認され難い。つまり、発光画像１２の潜像が容易に解明されるのを防ぐことができるので、偽造防止媒体１０の偽造をさらに困難にすることができる。
【０１０３】
第１蛍光インキ１３に蛍光媒体ＤＥ−ＲＢを使用し、第２蛍光インキ１４に、蛍光体ＤＥ−ＲＢとの発光波長差が５ｎｍ以下である蛍光媒体ＤＥ−ＲＢ１（根本特殊化学製）を使用してもよい。この場合、ＵＶ−Ａ照射時は、第１絵柄要素２０および第２絵柄要素２５が同色（青色）と視認され、第１絵柄要素２０の潜像はマイクロ文字列ｍ上で埋没していて現れない。ＵＶ−Ｃ照射時は、第１絵柄要素２０および第２絵柄要素２５が同色（赤色）と視認され、第１絵柄要素２０の潜像はマイクロ文字列ｍ上で埋没していて現れない。ＵＶ−Ａ及びＵＶ−Ｃの同時照射時は、第１絵柄要素２０および第２絵柄要素２５が互いに異なるマゼンタ色のマイクロ文字と視認され、第１絵柄要素２０の潜像がマイクロ文字列ｍ上に発現して視認される。
【０１０４】
第１蛍光インキ１３に蛍光媒体ＤＥ−ＢＧを使用し、第２蛍光インキ１４に、蛍光体ＤＥ−ＢＧとの発光波長差が５ｎｍ以下である蛍光媒体ＤＥ−ＢＧ１（根本特殊化学製）を使用してもよい。この場合、ＵＶ−Ａ照射時は、第１絵柄要素２０および第２絵柄要素２５が同色（緑色）と視認され、第１絵柄要素２０の潜像はマイクロ文字列ｍ上で埋没していて現れない。ＵＶ−Ｃ照射時は、第１絵柄要素２０および第２絵柄要素２５が同色（青色）と視認され、第１絵柄要素２０の潜像はマイクロ文字列ｍ上で埋没していて現れない。ＵＶ−Ａ及びＵＶ−Ｃの同時照射時は、第１絵柄要素２０および第２絵柄要素２５が互いに異なるシアン色のマイクロ文字と視認され、第１絵柄要素２０の潜像がマイクロ文字列ｍ上に発現して視認される。
【０１０５】
第５の実施の形態
ＵＶ−Ａを照射したとき、及びＵＶ−Ｃを照射したときに、第１絵柄要素２０の潜像が視認され、ＵＶ−ＡとＵＶ−Ｃの同時照射で第１絵柄要素２０の潜像が消失する（視認されない）ようにすることもできる。
【０１０６】
例えば、第１蛍光インキ１３に上述の蛍光体ＤＥ−ＲＧを使用し、第２蛍光インキ１４に上述の蛍光体ＤＥ−ＧＲを使用して偽造防止媒体１０を形成する。このような偽造防止媒体１０は、可視光下では、全体が白色と視認され、第１絵柄要素２０の潜像は現れない。
【０１０７】
この偽造防止媒体１０に対して、ＵＶ−Ａのみを照射すると、第１絵柄要素２０を形成する第１蛍光インキ１３（蛍光体ＤＥ−ＲＧ）が緑色光を発光する。一方、第２絵柄要素２５を形成する第２蛍光インキ１４（蛍光体ＤＥ−ＧＲ）は赤色光を発光する。従って、第１絵柄要素２０及び第２絵柄要素２５は異なった色のマイクロ文字として視認される。従って、ＵＶ−Ａ照射時において、発光画像１２の第１絵柄要素２０の潜像がマイクロ文字列ｍ上に発現して視認される。
【０１０８】
この偽造防止媒体１０に対して、ＵＶ−Ｃのみを照射すると、第１絵柄要素２０を形成する第１蛍光インキ１３（蛍光体ＤＥ−ＲＧ）が赤色光を発光する。一方、第２絵柄要素２５を形成する第２蛍光インキ１４（蛍光体ＤＥ−ＧＲ）は緑色光を発光する。従って、第１絵柄要素２０及び第２絵柄要素２５は異なった色のマイクロ文字として視認される。従って、ＵＶ−Ｃ照射時において、発光画像１２の第１絵柄要素２０の潜像がマイクロ文字列ｍ上に発現して視認される。
【０１０９】
この偽造防止媒体１０に対して、ＵＶ−Ａ及びＵＶ−Ｃを同時照射すると、第１絵柄要素２０を形成する第１蛍光インキ１３（蛍光体ＤＥ−ＲＧ）が黄色光を発光する。一方、第２絵柄要素２５を形成する第２蛍光インキ１４（蛍光体ＤＥ−ＧＲ）も黄色光を発光する。従って、第１絵柄要素２０及び第２絵柄要素２５は同じ色のマイクロ文字として視認される。従って、ＵＶ−Ａ及びＵＶ−Ｃの同時照射時において、発光画像１２の第１絵柄要素２０の潜像はマイクロ文字列ｍ上で埋没していて現れない。
【０１１０】
このように、ＵＶ−Ａ照射時、ＵＶ−Ｃ照射時、ＵＶ−Ａ及びＵＶ−Ｃの同時照射時の３つの照射パターンの各々で発光画像１２が変化し、ＵＶ−Ａ及びＵＶ−Ｃの同時照射時には第１絵柄要素２０の潜像がマイクロ文字列ｍ上で埋没していて現れないとすることで、偽造防止媒体１０の偽造をさらに困難にすることができる。
【０１１１】
さらに、第１絵柄要素２０と第２絵柄要素２５が複数のマイクロ文字列ｍを形成するようにしたので、第１絵柄要素２０と第２絵柄要素２５との間に微小な色差又は厚みの差が存在していても、ＵＶ−Ａ及びＵＶ−Ｃの同時照射時に第１絵柄要素２０の潜像は視認され難い。つまり、より確実に、３つの照射パターンの各々で発光画像１２が変化するようにできる。よって、偽造防止媒体１０の偽造をさらに困難にすることができる。
【０１１２】
第１蛍光インキ１３に蛍光媒体ＤＥ−ＲＢを使用し、第２蛍光インキ１４に蛍光媒体ＤＥ−ＢＲを使用してもよい。この場合、ＵＶ−Ａ照射時は、第１絵柄要素２０を形成する第１蛍光インキ１３（蛍光体ＤＥ−ＲＢ）が青色光を発光し、第２絵柄要素２５を形成する第２蛍光インキ１４（蛍光体ＤＥ−ＢＲ）は赤色光を発光する。従って、第１絵柄要素２０及び第２絵柄要素２５は異なった色のマイクロ文字として視認され、発光画像１２の第１絵柄要素２０の潜像がマイクロ文字列ｍ上に発現して視認される。ＵＶ−Ｃ照射時は、第１絵柄要素２０を形成する第１蛍光インキ１３（蛍光体ＤＥ−ＲＢ）が赤色光を発光し、第２絵柄要素２５を形成する第２蛍光インキ１４（蛍光体ＤＥ−ＢＲ）は青色光を発光する。従って、第１絵柄要素２０及び第２絵柄要素２５は異なった色のマイクロ文字として視認され、発光画像１２の第１絵柄要素２０の潜像がマイクロ文字列ｍ上に発現して視認される。ＵＶ−Ａ及びＵＶ−Ｃの同時照射時は、第１絵柄要素２０および第２絵柄要素２５が共にマゼンタ色の同色マイクロ文字と視認され、第１絵柄要素２０の潜像はマイクロ文字列ｍ上で埋没していて現れない。
【０１１３】
第１蛍光インキ１３に蛍光媒体ＤＥ−ＢＧを使用し、第２蛍光インキ１４に蛍光媒体ＤＥ−ＧＢを使用してもよい。この場合、ＵＶ−Ａ照射時は、第１絵柄要素２０を形成する第１蛍光インキ１３（蛍光体ＤＥ−ＢＧ）が緑色光を発光し、第２絵柄要素２５を形成する第２蛍光インキ１４（蛍光体ＤＥ−ＧＢ）は青色光を発光する。従って、第１絵柄要素２０及び第２絵柄要素２５は異なった色のマイクロ文字として視認され、発光画像１２の第１絵柄要素２０の潜像がマイクロ文字列ｍ上に発現して視認される。ＵＶ−Ｃ照射時は、第１絵柄要素２０を形成する第１蛍光インキ１３（蛍光体ＤＥ−ＢＧ）が青色光を発光し、第２絵柄要素２５を形成する第２蛍光インキ１４（蛍光体ＤＥ−ＧＢ）は緑色光を発光する。従って、第１絵柄要素２０及び第２絵柄要素２５は異なった色のマイクロ文字として視認され、発光画像１２の第１絵柄要素２０の潜像がマイクロ文字列ｍ上に発現して視認される。ＵＶ−Ａ及びＵＶ−Ｃの同時照射時は、第１絵柄要素２０および第２絵柄要素２５が共にシアン色の同色マイクロ文字と視認され、第１絵柄要素２０の潜像はマイクロ文字列ｍ上で埋没していて現れない。
【０１１４】
さらに、第１蛍光インキ１３に蛍光体ＤＥ−ＲＧを使用し、第２蛍光インキ１４に蛍光体ＤＥ−ＧＲを使用する場合、基材１１上に黄色のインクをオフセット印刷し、その上に第１蛍光インキ１３及び第２蛍光インキ１４をオフセット印刷してもよい。同様に、第１蛍光インキ１３に蛍光媒体ＤＥ−ＲＢを使用し、第２蛍光インキ１４に蛍光媒体ＤＥ−ＢＲを使用する場合、基材１１上にマゼンタ色のインクをオフセット印刷し、その上に第１蛍光インキ１３及び第２蛍光インキ１４をオフセット印刷してもよい。また、同様に、第１蛍光インキ１３に蛍光媒体ＤＥ−ＢＧを使用し、第２蛍光インキ１４に蛍光媒体ＤＥ−ＧＢを使用する場合、基材１１上にシアン色のインクをオフセット印刷し、その上に第１蛍光インキ１３及び第２蛍光インキ１４をオフセット印刷してもよい。このようにすることで、ＵＶ−Ａ及びＵＶ−Ｃの同時照射時に、発光画像１２全体が単一色の画像として視認され易くなる。
【０１１５】
なお、上記第２から第５の各実施の形態において、図８A乃至図９Ｂに示す第１の実施の形態の変形例の場合と同様に、１つのマイクロ文字が第１絵柄要素２０及び第２絵柄要素２５を含むように形成してもよい。
【０１１６】
また上記各実施の形態において、第１蛍光インキ１３および第２蛍光インキ１４として、ＵＶ−ＡまたはＵＶ−Ｃに対する励起特性を有するインキが用いられる例を示した。しかしながら、これに限られることはなく、第１蛍光インキ１３および第２蛍光インキ１４として、ＵＶ−Ｂまたは赤外線に対する励起特性を有するインキを用いてもよい。すなわち、本発明における「第１波長領域内の不可視光」または「第２波長領域内の不可視光」として、任意の波長領域内の不可視光を用いることができる。
【０１１７】
また上記各実施の形態において、潜像は図形等でもよい。
【０１１８】
また上記各実施の形態において、可視光下で、第１絵柄要素２０および第２絵柄要素２５がそれぞれ白色のものとして視認される例を示した。しかしながら、これに限られることはなく、少なくとも可視光下で第１絵柄要素２０および第２絵柄要素２５が同色のマイクロ文字として視認されればよい。
【０１１９】
また上記第４及び第５の実施の形態において、第１波長領域内の不可視光または第２波長領域内の不可視光が単独で照射されたときに第１蛍光インキ１３および第２蛍光インキ１４から発光される光の色が、青色、赤色または緑色のいずれかの色である例を示した。しかしながら、これに限られることはなく、第４の実施の形態では、第１波長領域内の不可視光または第２波長領域内の不可視光が単独で照射されたとき同色として視認され、第１波長領域内の不可視光および第２波長領域内の不可視光が同時に照射されたとき異色として視認される様々な組合せのインキをインキ１３，１４として用いることができる。また、第５の実施の形態では、第１波長領域内の不可視光または第２波長領域内の不可視光が単独で照射されたとき異色として視認され、第１波長領域内の不可視光および第２波長領域内の不可視光が同時に照射されたとき同色として視認される様々な組合せのインキをインキ１３，１４として用いることができる。
【０１２０】
また上記各実施の形態において、本発明の発光媒体が、有価証券などを構成する偽造防止媒体として用いられる例を示した。しかしながら、これに限られることはなく、様々な用途において本発明の発光媒体を用いることができる。例えば玩具などの用途においても、本発明の発光媒体を用いることができる。この場合も、第１波長領域内および第２波長領域内の少なくとも何れかの不可視光を照射されて変化する第１絵柄要素および第２絵柄要素からなる発光画像により、玩具などに様々な機能や特質を付与することができる。
【符号の説明】
【０１２１】
１０    偽造防止媒体
１１    基材
１２    発光画像
１３    第１蛍光インキ
１４    第２蛍光インキ
１５ａ，１５ｂ，１５ｃ  線
２０    第１絵柄要素
２１ａ  白色部分
２１ｂ  青色部分
２１ｃ  赤色部分
２２ｂ  青色部分
２２ｃ  緑色部分
２５    第２絵柄要素
２６ａ  白色部分
２６ｂ  青色部分
２６ｃ  緑色部分
２６ｄ  無色部分
２７ｂ  赤色部分
２７ｃ  緑色部分
【図１】
0005622087.tif 000007
【図３】
0005622087.tif 000008
【図４Ａ】
0005622087.tif 000009
【図４Ｂ】
0005622087.tif 000010
【図５】
0005622087.tif 000011
【図６Ａ】
0005622087.tif 000012
【図６Ｂ】
0005622087.tif 000013
【図７】
0005622087.tif 000014
【図８Ｂ】
0005622087.tif 000015
【図９Ａ】
0005622087.tif 000016
【図９Ｂ】
0005622087.tif 000017
【図１０】
0005622087.tif 000018
【図１１Ａ】
0005622087.tif 000019
【図１１Ｂ】
0005622087.tif 000020
【図１２Ａ】
0005622087.tif 000021
【図１２Ｂ】
0005622087.tif 000022
【図１３】
0005622087.tif 000023
【図１４Ａ】
0005622087.tif 000024
【図１４Ｂ】
0005622087.tif 000025
【図２】
0005622087.tif 000026
【図８Ａ】
0005622087.tif 000027